(57)【要約】      （修正有）【課題】体重をかけて患部に押し当てることができるお体調整棒を提供する。【解決手段】お体調整棒は、本体部２及びテーパー部３により構成される。本体部２は、手で握ることができる程度の太さからなり、テーパー部３以外の部位であって、概ね一定の太さで直線状に延びる部位である。この本体部２を長尺方向に垂直な平面により切断した場合の切断面は、円形状である。本体部２側の端面１ｂは、球面形状である。テーパー部３は、先端に行くほど太さが徐々に細くなるような先細り形状からなり、お体調整棒の一端に設けられている。このテーパー部３を長尺方向に垂直な平面により切断した場合の切断面は、本体部２よりも径が小さい円形状である。【選択図】図１
0003212702.tif 000002
【実用新案登録請求の範囲】
【請求項１】
手で握ることができ、腰幅以上の長さを有する丸棒からなり、
一端を除いて概ね一定の太さで延びる形状であるのに対し、前記一端が先細り形状であることを特徴とするお体調整棒。
【請求項２】
前記丸棒は、バスウッド材からなることを特徴とする請求項１に記載のお体調整棒。
【考案の詳細な説明】
【技術分野】
【０００１】
本考案は、お体調整棒に係り、さらに詳しくは、マッサージに使用でき、つぼの圧迫にも使用することができるお体調整棒に関する。
【背景技術】
【０００２】
指圧棒は、足の裏や手のひらのつぼを圧迫するのに使用される健康器具であり、手で握ることができる程度の太さの棒状体からなる。指圧棒の先端を患部に押し当てることにより、親指で指圧するのと同じようにつぼを圧迫することができる。従来の指圧棒は、長さが１０ｃｍ程度であり、中央部を片方の手で握った状態で先端部を患部に押し当てて使用される。
【考案の概要】
【考案が解決しようとする課題】
【０００３】
従来の指圧棒は、長さが短く、指圧棒に体重をかけて先端を患部に押し当てるような使い方が困難であり、つぼを十分に圧迫することが難しいという問題があった。例えば、車いす利用者や下肢部等が不自由な障碍者の場合、自身で下肢部に対する指圧やマッサージを行うことが難しく、このような指圧やマッサージに適した道具が見当たらないという問題があった。また、患部を撫でたり、トントンと叩くような使い方が困難であり、下肢部や腰部のマッサージには、使用しづらいという問題もあった。
【０００４】
本考案は、上記事情に鑑みてなされたものであり、体重をかけて患部に押し当てることができるお体調整棒を提供することを目的とする。また、下肢部や腰部のマッサージにも使用することができるお体調整棒を提供することを目的とする。
【課題を解決するための手段】
【０００５】
本考案の第１の態様によるお体調整棒は、手で握ることができ、腰幅以上の長さを有する丸棒からなり、一端を除いて概ね一定の太さで延びる形状であるのに対し、前記一端が先細り形状である。
【０００６】
このお体調整棒を立てた状態で使用すれば、長さが長いことから、お体調整棒の一端を支点にして他端付近を両方の手で握ることにより、お体調整棒に寄りかかることができる。このため、お体調整棒に体重をかけて一端を患部に押し当てることができ、例えば、手の力が十分でない人であっても、自身の体重を利用して指圧を行うことができる。特に、一端を除いて概ね一定の太さで延びる形状であるため、両方の手で容易に握ることができ、例えば、爪が長い女性であっても容易にセルフ指圧を行うことができる。また、一端が先細り形状であるため、一端を患部に押し当てることにより、つぼを十分に圧迫することができる。
【０００７】
また、お体調整棒を寝かせた状態で使用すれば、両方の手で両端をそれぞれ握ってお体調整棒を前後方向や上下方向に移動させることにより、お体調整棒の側面で患部をなでることができる。また、片方の手で端部付近を握ることにより、お体調整棒の側面で患部をトントンと叩くことができる。このため、下肢部や腰部のマッサージにも使用することができる。特に、腰幅以上の長さを有するため、両方の手で両端を握った状態で、側面を患部に押し当てながら容易に移動させることができる。また、丸棒からなるため、手のひらを使ってお体調整棒を前後に転がしながらマッサージすることもできる。
【０００８】
本考案の第２の態様によるお体調整棒は、上記構成に加え、前記丸棒が、バスウッド材からなるように構成される。この様な構成によれば、バスウッド材は軽くて硬いため、携行が容易であるとともに、体重をかけた際の変形を抑制することができる。
【考案の効果】
【０００９】
本考案によるお体調整棒は、お体調整棒を立てた状態でお体調整棒に寄りかかることができるため、お体調整棒に体重をかけて一端を患部に押し当てることができる。また、お体調整棒を寝かせた状態で使用することにより、お体調整棒の側面で患部をなでたり、トントンと叩くことができるため、下肢部や腰部のマッサージにも使用することができる。
【図面の簡単な説明】
【００１０】
【図１】本考案の実施の形態によるお体調整棒１の一構成例を示した斜視図である。
【図２】図１のお体調整棒１の側面１ａ、端面１ｂ及び１ｃを示した図である。
【図３】お体調整棒１の使用形態の一例を示した説明図である。
【図４】お体調整棒１の使用形態の他の例を示した説明図である。
【図５】お体調整棒１の使用形態の他の例を示した説明図である。
【図６】お体調整棒１の使用形態の他の例を示した説明図である。
【図７】お体調整棒１の使用形態の他の例を示した説明図である。
【考案を実施するための形態】
【００１１】
図１は、本考案の実施の形態によるお体調整棒１の一構成例を示した斜視図である。図２は、図１のお体調整棒１を示した図であり、（ａ）には、お体調整棒１の側面１ａが示され、（ｂ）には、本体部２側の端面１ｂが示され、（ｃ）には、テーパー部３側の端面１ｃが示されている。
【００１２】
お体調整棒１は、筋肉の張りをほぐしたり、血液の循環をよくするための健康器具であり、足の裏や手のひらのつぼを圧迫するための指圧棒として使用することができる。このお体調整棒１は、腰幅以上の長さを有する丸棒からなり、つぼの圧迫だけでなく、身体の各部のマッサージにも使用することができる。さらに、お体調整棒１を両手で保持することにより上肢部及び腰部の機能改善のための体操を行うこともできる。腰幅とは、人の腰部の幅であり、成人の場合、概ね２００ｍｍ以上である。よって、お体調整棒１の長さは、２００ｍｍ以上７００ｍｍ以下であればよく、例えば、５００ｍｍ〜６５０ｍｍ程度が望ましい。上記丸棒は、軽くて硬い木材、例えば、バスウッド材からなる。
【００１３】
また、お体調整棒１は、本体部２及びテーパー部３により構成される。本体部２は、手で握ることができる程度の太さからなり、テーパー部３以外の部位であって、概ね一定の太さで直線状に延びる部位である。この本体部２を長尺方向に垂直な平面により切断した場合の切断面は、円形状である。また、本体部２の太さは、２０ｍｍ以上３０ｍｍ以下であればよく、例えば、２４ｍｍ程度が好ましい。本体部２側の端面１ｂは、球面形状である。
【００１４】
テーパー部３は、先端に行くほど太さが徐々に細くなるような先細り形状からなり、お体調整棒１の一端に設けられている。このテーパー部３を長尺方向に垂直な平面により切断した場合の切断面は、本体部２よりも径が小さい円形状である。テーパー部３の長さは、５０ｍｍ以上１００ｍｍ以下であればよく、例えば、７０ｍｍ程度が好ましい。テーパー部３側の端面１ｃは、端面１ｂよりも径が小さい球面形状である。
【００１５】
図３は、お体調整棒１の使用形態の一例を示した説明図であり、テーパー部３側の端面１ｃを足Ｆの裏に押し当ててつぼを圧迫する様子が示されている。患者自身が自分の身体のつぼを圧迫する場合、お体調整棒１は、主に、立てた状態で使用される。
【００１６】
お体調整棒１の一端を支点にして他端付近を両方の手Ｈで握れば、お体調整棒１に寄りかかることができる。具体的に説明すれば、あぐらを組んで座った姿勢において、足Ｆの裏にテーパー部３側の端面１ｃを押し当て、テーパー部３を支点にして本体部２の端面１ｂ近傍を両方の手Ｈで握れば、お体調整棒１に寄りかかることができる。このため、お体調整棒１に体重をかけてテーパー部３側の端面１ｃを患部に押し当ててつぼを圧迫することができる。
【００１７】
お体調整棒１によるつぼの圧迫は、足Ｆの裏だけでなく、かかとなど、身体の他の部位にも適用することができる。また、本体部２側の端面１ｂを患部に押し当てれば、テーパー部３側の端面１ｃを押し当てる場合と比べ、接触面が広くなることから、両親指で同時に指圧するのと同じ効果が得られる。
【００１８】
一方の手Ｈをテーパー部３付近に当て、他方の手Ｈで本体部２の端面１ｂ付近を握った状態で、テーパー部３の側面１ａを患部に押し当てながらお体調整棒１を長尺方向に移動させれば、足Ｆの表からつま先にかけてさするようにマッサージすることができる。さらに、お体調整棒１を寝かせた状態で、一端を支点にして円を描くように他端を移動させることにより、患部をぐりぐりと揉むようにマッサージすることもできる。
【００１９】
図４は、お体調整棒１の使用形態の他の例を示した説明図であり、本体部２の側面１ａをすねＬに押し当てて患部をなでるようにマッサージする様子が示されている。患者自身が自分の身体の一部をマッサージする場合、お体調整棒１は、主に、寝かせた状態で使用される。
【００２０】
お体調整棒１の両端を両方の手Ｈでそれぞれ握れば、本体部２の側面１ａを患部に押し当てながらお体調整棒１を前後方向や上下方向に移動させることができる。具体的に説明すれば、両脚の膝を立て、かかとを揃えて座った姿勢において、すねＬに本体部２の側面１ａを押し当てながらすねＬに沿ってお体調整棒１を移動させれば、患部をなでるようにマッサージすることができる。
【００２１】
お体調整棒１によるマッサージは、すねＬだけでなく、ふくらはぎ、太もも、膝の裏、腰部、臀部、腹部、背中など、身体の他の部位にも適用することができる。また、ふくらはぎなどの下肢部のセルフマッサージでは、両方の脚を同時にマッサージすることができるため、施術者が患者の下肢部を片足ずつマッサージする場合に比べ、短時間で疲労回復の効果を得ることができる。また、片方の手Ｈでお体調整棒１の端部付近を握ることにより、お体調整棒１の側面１ａで患部を軽くトントンと叩いてマッサージすることもできる。
【００２２】
図５は、お体調整棒１の使用形態の他の例を示した説明図であり、本体部２の側面１ａを足の裏Ｆに押し当てながらお体調整棒１を転がす様子が示されている。お体調整棒１を寝かせた状態で、両方の手Ｈのひらをお体調整棒１の両端にそれぞれ当てることにより、本体部２の側面１ａが足の裏Ｆに押し当てられる。この状態で手を前後方向に移動させれば、摩擦力によってお体調整棒１を前後に転がしながら患部をマッサージすることができる。
【００２３】
図６は、お体調整棒１の使用形態の他の例を示した説明図である。図６（ａ）には、お体調整棒１の両端を左右の手Ｈで保持する様子が示されている。お体調整棒１は、その両端が左右の手Ｈのひらによって挟まれ、体の前方において略水平になるように保持される。図６（ｂ）には、体の前方でお体調整棒１を回転させる様子が示されている。（ａ）の状態からお体調整棒１を保持する両腕を前に突き出し、お体調整棒１を回転させた状態が（ｂ）である。ハンドルを回すように、お体調整棒１を回転させることにより、上肢部の機能改善に役立つ体操を行うことができる。
【００２４】
図７は、お体調整棒１の使用形態の他の例を示した説明図である。図７（ａ）には、前屈姿勢でお体調整棒１を回転させる様子が示されている。図６（ｂ）の状態から、お尻を引くようにしながら上体を前に倒して前屈姿勢となり、その状態でハンドルを回すように、お体調整棒１を回すことにより、上肢部の機能改善に役立つ体操を行うことができる。図７（ｂ）には、お体調整棒１を用いて上体を回転させる様子が示されている。図７（ａ）の前屈状態から、腰を回しながら、最も大きな円を描くようにお体調整棒１を回転させることにより、上体回しの体操を行うことができる。
【００２５】
本実施の形態によるお体調整棒１では、お体調整棒１を立てた状態でお体調整棒１に寄りかかることができるため、お体調整棒１に体重をかけてテーパー部３を患部に押し当てることができる。また、お体調整棒１を寝かせた状態で使用することにより、お体調整棒１の側面１ａで患部をなでたり、軽くトントンと叩くことができるため、下肢部や腰部のマッサージにも使用することができる。また、お体調整棒１の両端を把持して上肢部及び腰部の機能改善に役立つ体操を行うことができる。また、お体調整棒１は、軽くて硬いため、携行が容易であるとともに、体重をかけた際の変形を抑制することができる。
【符号の説明】
【００２６】
１  お体調整棒
２  本体部
３  テーパー部
１ａ  お体調整棒の側面
１ｂ  お体調整棒の本体部側の端面
１ｃ  お体調整棒のテーパー部側の端面
【図１】
0003212702.tif 000003
【図２】
0003212702.tif 000004
【図３】
0003212702.tif 000005
【図４】
0003212702.tif 000006
【図５】
0003212702.tif 000007
【図６】
0003212702.tif 000008
【図７】
0003212702.tif 000009